(57)【要約】      （修正有）【課題】コークス炉の操業中も浮き上りや転倒を防止できるタールパンを提供する。【解決手段】コークスを製造するコークス炉に付属するタールパン受け板に設置されるタールパンであって、タールパン２にはコークス炉のバックステイ５にタールパン２を嵌め合わせて固定する固定用アングル３が取付けられ、前記バックステイ５にはタールパン回転防止板４が取付けられている。【選択図】図１
2013079308.tif 000002
【特許請求の範囲】
【請求項１】
コークスを製造するコークス炉に付属するタールパン受け板に設置されるタールパンであって、タールパンにはコークス炉のバックステイにタールパンを嵌め合わせて固定する固定用アングルが取付けられ、前記バックステイにはタールパン回転防止板が取付けられていることを特徴とするコークス炉のタールパン。
【発明の詳細な説明】
【技術分野】
【０００１】
本発明は、コークス炉の操業中も浮き上りや転倒を防止できるタールパンに関するものである。
【背景技術】
【０００２】
コークス炉では石炭をコークス炉の炭化室に装入して、石炭を高温度で乾留しコークスを製造する。石炭の乾留工程ではコールタールが発生し、炭化室の炉底に溜まるので、石炭の乾留を終了し、コークスを取り出すために、コークス炉の炉蓋を開放すると、コークスと共にコールタールも炉外に流れ出すことから、このコールタールを受ける部品としてタールパンが必要となる。
【０００３】
タールパンにはコールタールの他に炉蓋開放時にコークス炉内部から零れ落ちたコークス（以下落骸という）も堆積する。従来、タールパンに堆積した落骸およびコールタールは人力で回収されるか、コークスを回収するガイド車に積載されているスクレーパタイプもしくは高圧散水タイプのタールパンクリーナによって、ガイド車の落骸コンベア上に回収されていた。
【０００４】
特許文献１には、スリットを有する散水管をタールパンに組み込んで、高圧散水によってコールタールや落骸を回収する方法が開示されている。
【先行技術文献】
【特許文献】
【０００５】
【特許文献１】実開昭６４−２６３５２号公報
【発明の概要】
【発明が解決しようとする課題】
【０００６】
従来のタールパン２は図３の要部側面図に示すように、タールパン受け板１上に置いたままの、嵌め合い構造で取付けられており、バックステイ５や受け板１によって拘束されていないので、スクレーパタイプのタールパンクリーナを使用するとタールパン２に上下方向の回転力がかかり、タールパン２が浮き上がり、さらには転倒することがあった。この解決策として、特許文献１に記載の高圧散水によってコールタールや落骸を回収する方法を用いた場合は、コークス炉の炉底７に水が流れ込むという危険性がある。なお図３において６は炉蓋である。
【０００７】
本発明は、上記課題を解決する、コークス炉の操業中も浮き上りや転倒を防止できるタールパンを提供することを目的とする。
【課題を解決するための手段】
【０００８】
本発明は、前記課題を解決するために、以下の構成をとった。
【０００９】
即ち、コークスを製造するコークス炉に付属するタールパン受け板に設置されるタールパンであって、タールパンにはコークス炉のバックステイにタールパンを嵌め合わせて固定する固定用アングルが取付けられ、前記バックステイにはタールパン回転防止板が取付けられていることを特徴とするコークス炉のタールパンである。
【発明の効果】
【００１０】
本発明は、従来のようにタールパンを容易に脱着可能にしながら、タールパンの上下方向の回転を防止できて、スクレーパタイプのタールパンクリーナを用いても、タールパンの浮き上がりや転倒を十分に防止できて、効率良くタールや落骸の回収が可能であり、コークス炉の炉底を傷めることもなく優れた性能を有するものである。
【図面の簡単な説明】
【００１１】
【図１】本発明のタールパンを説明する側面図である。
【図２】本発明のタールパンを説明する上面図である。
【図３】従来のタールパンを示す側面図である。
【発明を実施するための形態】
【００１２】
以下、本発明の一実施の形態を、図を参照して説明する。
【００１３】
図１は本発明のタールパン２を説明する側面図、図２は上面図である。
【００１４】
図において、コークス炉の炉蓋６の左右には、コークス炉からコークスが押出されたときにコークスが左右に飛散するのを防止するバックステイ５（本図では大型のＨ形鋼で表されている）が設置され、左右のバックステイ５の間にタールパン受け板１が溶接固定され、該タールパン受け板１に載せてタールパン２がコークス炉の炉蓋６の近くまで装入されている。タールパン２は落骸およびコールタールを受ける床板と落骸が左右にこぼれないように側板を持つ構造となっている。
【００１５】
タールパン２はその左右側板によりタールパン固定用アングル３にボルト１２により取り付けられており、該タールパン固定用アングル３は、バックステイ５のウエブとフランジが作る空間部分にはまりこんでいる。更に、バックステイ５のウエブ部分には、回転防止板４がタールパン固定用アングル３の真上に位置して溶接止めされている。
【００１６】
タールパン固定用アングル３とバックステイ５のフランジおよびウエブとの間には若干の隙間があるが、タールパン２が外力によりタールパン受け板１上をガイド車の方向にスライドしてもタールパン固定用アングル３がバックステイ５のフランジ部分と接触するのでタールパン２がタールパン受け板１から脱落することはない。
【００１７】
また、バックステイ５のウエブ部分に設置された回転防止板４は、タールパン固定用アングル３の真上に位置しているので、タールパン２が上下方向の回転力により浮き上がると、タールパン固定用アングルと接触して、タールパン２の回転を阻止するので、タールパン２が回転してタールパン受け板１から脱落することはない。
【００１８】
スクレーパタイプのタールパンクリーナ使用時にかかる力は、コークス炉と反対側（ガイド車側）にかかる引張力と上下方向の回転力である。引張力に関しては、タールパン固定用アングル３とバックステイ５との接触時に起きる反力で、上下方向の回転力に関してはタールパン固定用アングル３と回転防止板４との干渉時に起きる反力で対応できる。
【００１９】
さらに、熱歪は図３の従来例と同様に、タールパン２を拘束しない構造としたことにより防ぐことができ、スクレーパタイプのタールパンクリーナに対応可能なため、散水によるコークス炉の炉底への浸水の危険もない。
【００２０】
本発明は、上記した構成としたので、消耗部であるタールパン固定用アングル３の更新はボルト１２連結部を外すのみで容易に交換可能であり、さらにボルト１２を外した後に、タールパン２をコークス炉と反対側（ガイド車側）に引き出すことも容易である。
【００２１】
また、本発明は、非拘束型のタールパン２でありながらスクレーパタイプのタールパンクリーナに対応できるようになったので、落骸をタールパン２からプラットホーム８のガイド車用軌条９上を走行するガイド車のガイド車落骸受け板１１を介してガイド車落骸コンベア１０上に回収することができるようになった。
【実施例１】
【００２２】
以下、本発明の一実施例を説明する。コークス炉コークサイドのタールパン２を例に図１を使って説明する。
【００２３】
タールパン２は落骸およびコールタールを受ける床板と落骸が左右にこぼれないように側板を持つ構造となっている。タールパン受け板１とタールパン２は連結されていないので、タールパン固定用アングル３のボルト１２を取り外せば、タールパン２を容易に取り外すことができる。
【００２４】
タールパン固定用アングル３は補強材の入ったアングルでバックステイ５の内側に入り込む構造となっている。タールパン２の水平方向の移動はタールパン固定用アングル３とバックステイ５が互いに接触することで移動が制限される。
【００２５】
落骸やタールはタールパン２の床板からガイド車落骸コンベア１０へと導かれる。タールパン２に落骸やタールが残らないようにタールパンクリーナで落骸やタールは掻き出される。
【００２６】
スクレーパタイプのタールクリーナの場合、効率良く落骸を掻き出すためにタールパン２の床面に垂直方向にスクレーパから押し付け力がかかる。タールパン２の先端部はバックステイ５よりコークス炉と反対側に突き出している。ガイド車との干渉を避けるためタールパン受け板１はタールパン２の先端部には設置されていないので、タールパン２の先端部にタールパンクリーナによる押し付け力がかかると、タールパン受け板１のコークス炉外側コーナを中心に上下方向に回転力が働く。この力による浮き上がりを回転防止板４とタールパン固定用アングル３の接触により防止する。回転防止板４はバックステイ５に溶接されており、コークス炉側に近い場所にあることが望ましい。
【００２７】
経年変化による減肉でタールパン固定用アングル３が載荷力に絶えられず変形を起こした際は、ボルトを取り外すだけで容易にタールパン固定用アングル３の更新が可能である。
【符号の説明】
【００２８】
１    タールパン受け板
２    タールパン
３    タールパン固定用アングル
４    回転防止板
５    バックステイ
６    炉蓋
７    炉底
８    プラットホーム
９    ガイド車軌条
１０  ガイド車落骸コンベア
１１  ガイド車落骸受け板
１２  ボルト
【図１】
2013079308.tif 000003
【図２】
2013079308.tif 000004
【図３】
2013079308.tif 000005